(57)【要約】【課題】気密性能の向上を図ることができる自動販売機用扉体を提供すること。【解決手段】本体キャビネット１の商品収容庫２の前面開口を開閉する態様で揺動可能に配設され、かつ払い出された商品を通過させる商品搬出口２４を有する断熱構造の扉本体２１と、商品搬出口２４を開閉する態様で商品搬出口２４を画成する商品搬出口枠２３に揺動可能に配設された商品搬出扉２５とを備え、商品搬出扉２５の先端部には永久磁石２７が設けてある一方、商品搬出扉２５が商品搬出口２４を閉成する場合における商品搬出口枠２３の該先端部に対向する部位には強磁性体２８が設けてあり、常態においては、永久磁石２７の吸引力並びに自身の自重によるモーメントにより商品搬出扉２５が商品搬出口２４を閉成することを許容する一方、駆動指令が与えられた場合には、商品搬出扉２５の先端部を商品搬出口枠２３から強制的に離反させる離反機構２９を備えたものである。【選択図】図４
2013015904.tif 000002
【特許請求の範囲】
【請求項１】
自動販売機本体の内部に設けた断熱構造の商品収容庫の前面開口を開閉する態様で前記自動販売機本体に揺動可能に配設され、かつ前記商品収容庫から払い出された商品を通過させる商品搬出口を有する断熱構造の扉本体と、
前記商品搬出口を開閉する態様で該商品搬出口を画成する枠体に揺動可能に配設された商品搬出扉と
を備えた自動販売機用扉体において、
前記商品搬出扉の先端部には永久磁石が設けてある一方、前記商品搬出扉が前記商品搬出口を閉成する場合における枠体の前記先端部に対向する部位には強磁性体が設けてあり、
常態においては、前記永久磁石の吸引力並びに自身の自重によるモーメントにより前記商品搬出扉が前記商品搬出口を閉成することを許容する一方、駆動指令が与えられた場合には、前記商品搬出扉の先端部を前記枠体から強制的に離反させる離反機構を備えたことを特徴とする自動販売機用扉体。
【請求項２】
前記離反機構は、
螺旋状に導線を巻回したソレノイドコイルと、
前記ソレノイドコイルが非通電状態となる場合には、待機位置に位置する一方、前記駆動指令が与えられることにより前記ソレノイドコイルが通電状態となる場合には、待機位置より進出移動して自身の端部を前記商品搬出扉の先端部に当接させて該先端部を前記枠体から離反させるプッシャ部材と
を備えて構成してあることを特徴とする請求項１に記載の自動販売機用扉体。
【発明の詳細な説明】
【技術分野】
【０００１】
本発明は、自動販売機用扉体に関し、より詳細には、自動販売機本体の内部に設けた断熱構造の商品収容庫の前面開口を開閉する態様で自動販売機本体に揺動可能に配設され、かつ商品収容庫から払い出された商品を通過させる商品搬出口を有する断熱構造の扉本体と、商品搬出口を開閉する態様で該商品搬出口を画成する枠体に揺動可能に配設された商品搬出扉とを備えた自動販売機用扉体に関するものである。
【背景技術】
【０００２】
従来、例えば缶入り飲料やペットボトル入り飲料等の商品を販売する自動販売機として、商品収容庫、内扉（自動販売機用扉体）及び外扉を備えたものが知られている。商品収容庫は、前面に開口が形成された直方体状の自動販売機本体の内部に、前面が開口した状態で設けられている。この商品収容庫は、内部に収納する商品を所望の温度状態に保持するためのもので、断熱構造を有している。内扉は、断熱構造を有しており、商品収容庫の前面開口を開閉する態様で自動販売機本体に揺動可能に配設されている。この内扉には、商品収容庫から払い出された商品を通過する矩形状の商品搬出口が形成されている。外扉は、自動販売機本体の前面開口を開閉する態様で自動販売機本体に揺動可能に配設されている。この外扉には、商品収容庫から払い出されて商品搬出口を通過した商品を取り出すための矩形状の商品取出口が形成されている。
【０００３】
このような自動販売機においては、自動販売機本体内部への外気の進入を抑制して気密性能の向上を図るべく、商品搬出口を開閉する商品搬出扉を二重構造とし、一方の商品搬出扉をモータ等の電動機構を用いて開閉移動させており、他方の商品搬出扉は、自重によるモーメントにより商品搬出口を閉成している（例えば、特許文献１参照）。
【先行技術文献】
【特許文献】
【０００４】
【特許文献１】特開平４−３６５１９２号公報
【発明の概要】
【発明が解決しようとする課題】
【０００５】
ところが、このような自動販売機では、商品搬出扉を二重構造とし、一方の商品搬出扉を電動機構で開閉移動させているが、連続して商品を販売する場合には、他方の商品搬出扉の自重によるモーメントにより商品搬出口を閉成しているだけなので、十分に高い気密性を確保することは困難である。
【０００６】
本発明は、上記実情に鑑みて、気密性能の向上を図ることができる自動販売機用扉体を提供することを目的とする。
【課題を解決するための手段】
【０００７】
上記目的を達成するために、本発明の請求項１に係る自動販売機用扉体は、自動販売機本体の内部に設けた断熱構造の商品収容庫の前面開口を開閉する態様で前記自動販売機本体に揺動可能に配設され、かつ前記商品収容庫から払い出された商品を通過させる商品搬出口を有する断熱構造の扉本体と、前記商品搬出口を開閉する態様で該商品搬出口を画成する枠体に揺動可能に配設された商品搬出扉とを備えた自動販売機用扉体において、前記商品搬出扉の先端部には永久磁石が設けてある一方、前記商品搬出扉が前記商品搬出口を閉成する場合における枠体の前記先端部に対向する部位には強磁性体が設けてあり、常態においては、前記永久磁石の吸引力並びに自身の自重によるモーメントにより前記商品搬出扉が前記商品搬出口を閉成することを許容する一方、駆動指令が与えられた場合には、前記商品搬出扉の先端部を前記枠体から強制的に離反させる離反機構を備えたことを特徴とする。
【０００８】
また、本発明の請求項２に係る自動販売機用扉体は、上述した請求項１において、前記離反機構は、螺旋状に導線を巻回したソレノイドコイルと、前記ソレノイドコイルが非通電状態となる場合には、待機位置に位置する一方、前記駆動指令が与えられることにより前記ソレノイドコイルが通電状態となる場合には、待機位置より進出移動して自身の端部を前記商品搬出扉の先端部に当接させて該先端部を前記枠体から離反させるプッシャ部材とを備えて構成してあることを特徴とする。
【発明の効果】
【０００９】
本発明の自動販売機用扉体によれば、商品搬出扉の先端部には永久磁石が設けてある一方、商品搬出扉が商品搬出口を閉成する場合における枠体の先端部に対向する部位には強磁性体が設けてあり、離反機構が、常態においては、永久磁石の吸引力並びに自身の自重によるモーメントにより商品搬出扉が商品搬出口を閉成することを許容する一方、駆動指令が与えられた場合には、商品搬出扉の先端部を枠体から強制的に離反させるので、常態においては商品搬出扉を自身の重力によるモーメントだけでなく永久磁石の吸引力によっても商品搬出口を閉成させることができ、気密性能の向上を図ることができるという効果を奏する。
【図面の簡単な説明】
【００１０】
【図１】図１は、本発明の実施の形態である自動販売機用扉体が適用された自動販売機を示す断面側面図である。
【図２】図２は、図１に示した内扉の商品搬出口枠及び商品搬出扉を模式的に示す断面側面図である。
【図３】図３は、図２に示した商品搬出口枠及び商品搬出扉の要部を拡大して示す拡大断面側面図である。
【図４】図４は、図２に示した内扉の要部を拡大して模式的に示す拡大断面側面図である。
【図５】図５は、図２に示した内扉の要部を拡大して模式的に示す拡大断面側面図である。
【発明を実施するための形態】
【００１１】
以下に添付図面を参照して、本発明に係る自動販売機用扉体の好適な実施の形態について詳細に説明する。
【００１２】
図１は、本発明の実施の形態である自動販売機用扉体が適用された自動販売機を示す断面側面図である。ここで例示する自動販売機は、例えば缶入り飲料やペットボトル入り飲料等の商品を冷却、若しくは加熱した状態で販売するもので、自動販売機本体である本体キャビネット１を備えている。
【００１３】
本体キャビネット１は、複数の金属板を適宜組み合わせることによって構成したもので、前面が開口した直方体状に構成してある。この本体キャビネット１には、その内部に前面が開口した断熱構造の商品収容庫２が設けてある。本実施の形態では、本体キャビネット１の内面に予め板状に成形した断熱ボード３を配設することにより、これら断熱ボード３によって囲まれる空間に商品収容庫２を構成するようにしている。断熱ボード３は、図には明示していないが、発泡ウレタン等の断熱材によって成形した板状部材の表裏両面にそれぞれ面材として樹脂フィルムやクラフト紙を貼着したものである。
【００１４】
この商品収容庫２には、商品収納ラック５が配設してある。商品収納ラック５は、一対の側板５ａの間に通路形成部材５ｂを配設することによって上下方向に沿って延在する蛇行状の商品収納域６を構成したもので、商品収納域６に商品を収納する一方、商品販売指令が与えられた場合に最下位に位置するものから商品の払い出しを行う。本実施の形態では、複数の商品収納域６を有した商品収納ラック５を前後に配設するようにしている。
【００１５】
また、商品収容庫２には、下方部に商品シュータ７及び背面ダクト８が設けてある。商品シュータ７は、多数の通気孔を有した平板状部材であり、商品収容庫２の後方から前方に向けて漸次低くなる態様で傾斜して配設してある。背面ダクト８は、商品収容庫２において背面側に位置する部分に設けた導風路である。
【００１６】
商品シュータ７よりも下方となる部分には、後方側から蒸発器１０ａ、ヒータ１１及び庫内送風ファン１２が順次配置してある。蒸発器１０ａは、商品収容庫２の下部の機械室４に配置した圧縮機１０ｂ、凝縮器１０ｃ及び膨張機構１０ｄとともに冷却ユニット１０を構成するものである。ヒータ１１は、通電状態となる場合に発熱するものである。庫内送風ファン１２は、モータ１３が駆動した場合に商品収容庫２の後方から前方に向けて送風を行うものである。
【００１７】
一方、上記自動販売機には、内扉２０及び外扉３０が設けてある。内扉２０は、商品収容庫２の前面開口を覆うためのもので、本体キャビネット１の一側縁部に開閉可能に配設した自動販売機用扉体である。この内扉２０は、扉本体２１と商品搬出扉２５とを有しており、扉本体２１は、扉基体２２と商品搬出口枠２３とを備えて構成してある。
【００１８】
扉基体２２は、枠体としての扉基体板金と発泡ウレタン等の断熱材とによって成形した板状部材である。この扉基体２２には、上述した断熱ボード３と同様に、その表裏両面の所定個所に面材としての樹脂フィルムやクラフト紙が貼着してある。
【００１９】
商品搬出口枠２３は、扉基体２２に装着することによって矩形状の商品搬出口２４を構成するものである。このような商品搬出口２４は、商品収容庫２の商品収納ラック５から払い出され、かつ商品シュータ７を転動した商品を通過させるための開口である。
【００２０】
商品搬出扉２５は、図２に示すように、例えば樹脂材から形成されたもので、商品搬出口２４を閉成するのに十分な大きさを有している。この商品搬出扉２５は、常態においては、自身の自重のモーメントにより商品搬出口２４を閉成しており、内方側から押された場合には、商品搬出口２４が開成状態となるように水平な軸部２６を中心として商品搬出口枠２３に揺動可能に配設してある。
【００２１】
かかる商品搬出扉２５においては、図３に示すように、その先端部には永久磁石２７が設けてある。そして、この商品搬出扉２５の先端部に対向する商品搬出口枠２３の下枠部材には鉄心等の強磁性体２８が設けてある。
【００２２】
これにより、商品搬出扉２５が商品搬出口２４を閉成する場合には、商品搬出扉２５の重力によるモーメントだけでなく、永久磁石２７の吸引力が作用することとなる。
【００２３】
また、かかる内扉２０には、図４に示すように、離反機構２９が配設してある。離反機構２９は、ソレノイドコイル２９１とプッシャ部材２９２とを備えて構成してある。ソレノイドコイル２９１は、導線を螺旋状に巻回してなるものである。プッシャ部材２９２は、ソレノイドコイル２９１の内部を貫通する態様で前後方向に沿って設けてあり、非磁性体である先端部２９２１と、磁性体である基端部２９２２とを有したロッド状のものである。プッシャ部材２９２の先端部２９２１は、下枠部材に設けられた図示せぬ貫通孔を貫通可能に設けてある。
【００２４】
このような離反機構２９においては、ソレノイドコイル２９１が非通電状態となる場合には、プッシャ部材２９２は待機位置に位置している（図４参照）。そして、ソレノイドコイル２９１が通電状態と成る場合には、プッシャ部材２９２は、図５に示すように、基端部２９２２がソレノイドコイル２９１に吸引されることで、前方に向けて進出移動するものである。
【００２５】
外扉３０は、本体キャビネット１の前面開口を覆うためのもので、内扉２０よりも前方側となる位置において、本体キャビネット１の一側縁部に開閉可能に配設してある。外扉３０の前面には、商品を販売する際に必要となるディスプレイウィンドウ３１や商品取出口３２が設けてあるとともに、図には明示しないが、商品選択ボタン、紙幣挿通口、硬貨投入口、返却レバー、金額表示器、硬貨返却口等が設けてある。
【００２６】
この外扉３０には、商品取出部３３が設けてある。商品取出部３３は、商品収容庫２における商品収納ラック５から払い出されて内扉２０の商品搬出口２４を通過した商品を収容し、かつ商品取出口３２を通じて該商品を取出可能にするものである。
【００２７】
また、上記外扉３０には、商品取出扉３４が設けてある。商品取出扉３４は、商品取出口３２を閉成するのに十分な大きさを有しており、樹脂材から形成されたものである。この商品取出扉３４は、前方側に引き出された場合に商品取出口３２が開成状態となるように上方の水平軸（揺動軸）を中心として揺動可能に配設してあり、常態においては、自身の自重のモーメントにより商品取出口３２を閉成している。
【００２８】
以上のように構成した自動販売機では、冷却ユニット１０を駆動した状態で庫内送風ファン１２を駆動すると、蒸発器１０ａにより冷却された空気が商品シュータ７の通気孔を通じて商品収納ラック５に供給される一方、商品収納ラック５を通過した空気が背面ダクト８を通じて庫内送風ファン１２に返却されることになり、商品収納ラック５に収納した商品を例えば５℃程度に冷却することが可能になる。
【００２９】
これとは逆に、ヒータ１１を通電状態にして庫内送風ファン１２を駆動すると、ヒータ１１に加熱された空気が商品シュータ７の通気孔を通じて商品収納ラック５に供給される一方、商品収納ラック５を通過した空気が背面ダクト８を通じて庫内送風ファン１２に返却されることになり、商品収納ラック５に収納した商品を例えば５５℃程度に加熱することが可能になる。
【００３０】
ところで、販売待機状態においては、ソレノイドコイル２９１は非通電状態にあるから、プッシャ部材２９２は、図４に示したように待機位置に位置している。このようにプッシャ部材２９２が待機位置にいることで、プッシャ部材２９２の先端部２９２１は、商品搬出扉２５には当接しておらず、これにより、商品搬出扉２５は、自身の自重モーメント及び内蔵する永久磁石２７の吸引力により商品搬出口２４を閉成している。
【００３１】
購入者の購入操作に応じて商品販売指令が与えられると、対応する商品収納ラック５において最下位に収納された商品が商品シュータ７に払い出される。かかる商品販売指令が与えられると、ソレノイドコイル２９１も通電状態となり、これにより基端部２９２２が吸引されたプッシャ部材２９２は、前方に向けて進出移動し、その先端部２９２１が商品搬出扉２５の先端部に当接して商品搬出扉２５を磁気吸引力に反して数ミリ程度僅かに開移動させることで、商品搬出扉２５の先端部と商品搬出口枠２３との間に間隙を形成させる。これにより、商品搬出扉２５の先端部と商品搬出口枠２３との間に作用する磁気吸引力は急激に低下する。つまり、離反機構２９は、常態においては、永久磁石２７の吸引力並びに自身の自重によるモーメントにより商品搬出扉２５が商品搬出口２４を閉成することを許容する一方、商品販売指令（駆動指令）が与えられた場合には、商品搬出扉２５の先端部を商品搬出口枠２３から強制的に離反させるものである。
【００３２】
商品シュータ７に払い出された商品は、その傾斜にしたがって順次案内され、先端部が商品搬出口枠２３から僅かに離反した商品搬出扉２５に当接する。これにより、商品搬出扉２５は開移動して商品搬出口２４を開成させ、この結果、商品が商品搬出口２４を通過して商品取出部３３に収容される。
【００３３】
そして、購入者が商品取出部３３に収容された商品を取り出すために商品取出扉３４を開移動させると、購入者は、商品取出口３２を通じて商品取出部３３に収容された商品を取り出すことができる。
【００３４】
以上説明したように、本実施の形態である内扉２０（自動販売機用扉体）によれば、商品搬出扉２５の先端部には永久磁石２７が設けてある一方、商品搬出扉２５が商品搬出口２４を閉成する場合における商品搬出口枠２３の該先端部に対向する部位には強磁性体２８が設けてあり、離反機構２９が、常態においては、永久磁石２７の吸引力並びに自身の自重によるモーメントにより商品搬出扉２５が商品搬出口２４を閉成することを許容する一方、商品販売指令が与えられた場合には、商品搬出扉２５の先端部を商品搬出口枠２３から強制的に離反させるので、販売待機状態においては商品搬出扉２５を自身の重力によるモーメントだけでなく永久磁石２７の吸引力によっても商品搬出口２４を閉成させることができ、気密性能の向上を図ることができる。
【００３５】
また、気密性能の向上を図ることができることで、商品収容庫２からの熱リークを抑制でき、消費電力量の低減による省エネルギー化を図ることができる。
【００３６】
更に、上記内扉２０においては、離反機構２９を構成するプッシャ部材２９２が進出移動して商品搬出扉２５の先端部に当接することで、商品搬出扉２５を僅かに開移動させているので、次のような効果を有する。例えば、上記実施の形態における永久磁石２７を商品搬出扉２５の先端部背面に露出させ、かつ離反機構２９を直流電磁石としてその鉄心に永久磁石２７を吸着させる一方、直流電磁石の鉄心に永久磁石２７と同極（永久磁石２７がＮ極の場合にはＮ極）の磁極を生じさせることにより離反させることが考えられるが、この場合には直流電磁石の鉄心と永久磁石２７とが密着して熱リークが発生してしまう。従って、熱リークの発生を防止できるとともに、永久磁石２７に逆磁化を作用させることがなく、永久磁石２７の劣化を防止でき、使用寿命の長大化を図ることができる。
【００３７】
以上、本発明の好適な実施の形態について説明したが、本発明はこれに限定されるものではなく、種々の変更を行うことができる。
【００３８】
上述した実施の形態では、離反機構２９がソレノイドコイル２９１とプッシャ部材２９２とにより構成されるものであったが、本発明においては、その形態は特に限定されるものではなく、常態においては、永久磁石の吸引力並びに自身の自重によるモーメントにより商品搬出扉が商品搬出口を閉成することを許容する一方、駆動指令が与えられた場合には、商品搬出扉の先端部を商品搬出口枠から強制的に離反させることができればどのような構成を有していても良い。例えば、圧電素子や軸部へのモータ等によるトルク付加であっても良い。
【産業上の利用可能性】
【００３９】
以上のように、本発明に係る自動販売機用扉体は、例えば缶入り飲料やペットボトル入り飲料等の商品を販売する自動販売機に有用である。
【符号の説明】
【００４０】
１  本体キャビネット
２  商品収容庫
５  商品収納ラック
６  商品収納域
１０  冷却ユニット
２０  内扉
２１  扉本体
２２  扉基体
２３  商品搬出口枠
２４  商品搬出口
２５  商品搬出口
２６  軸部
２７  永久磁石
２８  強磁性体
２９  離反機構
２９１  ソレノイドコイル
２９２  プッシャ部材
３０  外扉
３２  商品取出口
３３  商品取出部
３４  商品取出扉
【図１】
2013015904.tif 000003
【図２】
2013015904.tif 000004
【図３】
2013015904.tif 000005
【図４】
2013015904.tif 000006
【図５】
2013015904.tif 000007